(57)【要約】【課題】本発明は、光学レンズをレンズ保持部材に接着してなるレンズユニットに関し、レンズ保持部材に光学レンズを高い精度で接着することを目的とする。【解決手段】光学レンズをレンズ保持部材に接着剤により接着してなるレンズユニットにおいて、前記レンズ保持部材に、前記光学レンズの基準面を有する取付部が収容される凹部を形成するとともに、前記凹部の底面側に前記取付部の基準面が当接される保持部材側基準面と、該保持部材側基準面に対して前記凹部の壁面側に段差状の突部とを形成し、前記光学レンズの前記基準面の反対側面に、窪み状の段差部を前記凹部の壁面側に位置するように形成し、前記光学レンズの段差部上面と前記突部上面とに跨って前記接着剤を塗布することにより接着してなることを特徴とする。【選択図】      図１
2004226804.tif 000002
【特許請求の範囲】
【請求項１】
光学レンズをレンズ保持部材に接着剤により接着してなるレンズユニットにおいて、
前記レンズ保持部材に、前記光学レンズの基準面を有する取付部が収容される凹部を形成するとともに、前記凹部の底面側に前記取付部の基準面が当接される保持部材側基準面と、該保持部材側基準面に対して前記凹部の壁面側に段差状の突部とを形成し、
前記光学レンズの前記基準面の反対側面に、窪み状の段差部を前記凹部の壁面側に位置するように形成し、
前記光学レンズの段差部上面と前記突部上面とに跨って前記接着剤を塗布することにより接着してなることを特徴とするレンズユニット。
【請求項２】
請求項１記載のレンズユニットにおいて、
前記接着剤は、熱硬化性接着剤からなり、前記突部上面と前記保持部材側基準面との間隔を、前記光学レンズの段差部と前記取付部の基準面との間隔より大きくしてなることを特徴とするレンズユニット。
【請求項３】
請求項１記載のレンズユニットにおいて、
前記接着剤は、紫外線硬化型接着剤または弾性接着剤からなり、前記突部上面と前記保持部材側基準面との間隔を、前記光学レンズの段差部と前記取付部の基準面との間隔より小さくしてなることを特徴とするレンズユニット。
【発明の詳細な説明】
【０００１】
【発明の属する技術分野】
本発明は、光学レンズをレンズ保持部材に接着してなるレンズユニットに関する。
【０００２】
【従来の技術】
従来、カメラ等に配置される焦点検出装置として、例えば、特開平７−４９２２７号公報に開示されるものが知られている。
【０００３】
この公報に開示される焦点検出装置では、光学レンズの係合部が、レンズ保持部材の係合部に接着剤により接着されている。
レンズ保持部材の係合部には、液溜め部が形成され、光学レンズに形成される欠損部に接着剤を注入することにより液溜め部に接着剤が溜められる。
そして、液溜め部に溜まった接着剤は、毛細管現象により光学レンズの係合部とレンズ保持部材の係合部との接触面に吸い込まれ、光学レンズの係合部とレンズ保持部材の係合部との接触面が接着される。
【０００４】
【特許文献１】
特開平７−４９２２７号公報
【０００５】
【発明が解決しようとする課題】
しかしながら、このような従来の焦点検出装置では、光学レンズの係合部とレンズ保持部材の係合部との接触面が、接着剤により直接接着されるため、光学レンズの係合部とレンズ保持部材の係合部との間に接着剤層が形成され、レンズ保持部材に光学レンズを高い精度で接着することが困難であるという問題があった。
【０００６】
本発明は、かかる従来の問題を解決したもので、レンズ保持部材に光学レンズを高い精度で接着することができるレンズユニットを提供することを目的とする。
【０００７】
【課題を解決するための手段】
請求項１のレンズユニットは、光学レンズをレンズ保持部材に接着剤により接着してなるレンズユニットにおいて、前記レンズ保持部材に、前記光学レンズの基準面を有する取付部が収容される凹部を形成するとともに、前記凹部の底面側に前記取付部の基準面が当接される保持部材側基準面と、該保持部材側基準面に対して前記凹部の壁面側に段差状の突部とを形成し、前記光学レンズの前記基準面の反対側面に、窪み状の段差部を前記凹部の壁面側に位置するように形成し、前記光学レンズの段差部上面と前記突部上面とに跨って前記接着剤を塗布することにより接着してなることを特徴とする。
【０００８】
請求項２のレンズユニットは、請求項１記載のレンズユニットにおいて、前記接着剤は、熱硬化性接着剤からなり、前記突部上面と前記保持部材側基準面との間隔を、前記光学レンズの段差部と前記取付部の基準面との間隔より大きくしてなることを特徴とする。
請求項３のレンズユニットは、請求項１記載のレンズユニットにおいて、前記接着剤は、紫外線硬化型接着剤または弾性接着剤からなり、前記突部上面と前記保持部材側基準面との間隔を、前記光学レンズの段差部と前記取付部の基準面との間隔より小さくしてなることを特徴とする。
【０００９】
（作用）
請求項１のレンズユニットでは、レンズ保持部材に形成される凹部に光学レンズの取付部が収容され、レンズ保持部材の凹部の底面に形成される保持部材側基準面に、光学レンズの取付部に形成される基準面が当接される。
そして、光学レンズの基準面の反対側面に形成される窪み状の段差部上面と、レンズ保持部材の凹部の壁面側に形成される段差状の突部とに跨って接着剤を塗布することにより、保持部材側基準面と光学レンズ側基準面とを接着することなく、光学レンズがレンズ保持部材に接着される。
【００１０】
請求項２のレンズユニットでは、接着剤に、硬化後の弾性が殆どない熱硬化性接着剤が使用される。
そして、突部上面と保持部材側基準面との間隔が、光学レンズの段差部と取付部の基準面との間隔より大きくされる。
従って、光学レンズの基準面の反対側面に形成される窪み状の段差部上面の位置が、レンズ保持部材の凹部の壁面側に形成される段差状の突部上面より下がった位置となり、硬化後の弾性が殆どない熱硬化性接着剤により強固に固定されることで光学レンズの浮き上がりが阻止される。
【００１１】
請求項３のレンズユニットでは、接着剤に、硬化後に弾性を有する紫外線硬化型接着剤または弾性接着剤が使用される。
そして、突部上面と保持部材側基準面との間隔が、光学レンズの段差部と取付部の基準面との間隔より小さくされる。
従って、光学レンズの基準面の反対側面に形成される窪み状の段差部上面の位置が、レンズ保持部材の凹部の壁面側に形成される段差状の突部上面より上がった位置となり、硬化後に弾性を有する紫外線硬化型接着剤または弾性接着剤の弾性（収縮作用）により光学レンズを基準面側に引っ張ることで光学レンズの浮き上がりが阻止される。
【００１２】
【発明の実施の形態】
以下、本発明の実施形態を図面を用いて詳細に説明する。
（第１の実施形態）
図１ないし図３は、本発明のレンズユニットの第１の実施形態を示している。この実施形態では、凸レンズからなる光学レンズ１が、レンズ保持部材３に保持されている。
【００１３】
光学レンズ１は、樹脂，ガラス等からなり、レンズ部１ａの外周の３箇所に取付部１ｂが一体形成されている。
取付部１ｂは、直方体状をしており、レンズ部１ａの外周に１２０度の角度を置いて突出形成されている。
取付部１ｂの下面は、光学レンズ側基準面１ｄとされている。
【００１４】
レンズ保持部材３は、樹脂からなり、円筒状に形成されている。
レンズ保持部材３の上部には、１２０度の角度を置いて凹部３ａが形成されている。
この凹部３ａは、直方体状をしており、レンズ保持部材３の上面３ｂから内周面３ｃにかけて開口されている。
【００１５】
凹部３ａの底面には、光学レンズ１の取付部１ｂの光学レンズ側基準面１ｄが当接される保持部材側基準面３ｄが形成されている。
光学レンズ側基準面１ｄおよび保持部材側基準面３ｄは、光学レンズ１の光軸方向の位置決めをする基準面とされている。
そして、この実施形態では、光学レンズ１の光学レンズ側基準面１ｄの反対側面に、窪み状の段差部（段差面）１ｃが形成されている。
【００１６】
この段差部１ｃは、レンズ保持部材３の凹部３ａの壁面側に位置するように形成されている。
また、レンズ保持部材３の基準面３ｄに対して凹部３ａの壁面側には、段差状の突部３ｅが形成されている。
この実施形態では、光学レンズ１に形成される段差部１ｃの上面と、レンズ保持部材３に形成される突部３ｅの上面とは、略同一の高さ位置に位置されている。
【００１７】
そして、光学レンズ１の段差部１ｃの上面と、レンズ保持部材３の突部３ｅの上面とに跨って接着剤５を塗布することにより光学レンズ１がレンズ保持部材３に接着されている。
上述したレンズユニットは、以下述べるようにして製造される。
先ず、レンズ保持部材３に形成される凹部３ａに光学レンズ１の取付部１ｂを収容して嵌合させ、レンズ保持部材３の凹部３ａの底面に形成される保持部材側基準面３ｄに、光学レンズ１の取付部１ｂに形成される光学レンズ側基準面１ｄを当接させる。
【００１８】
そして、この状態で、光学レンズ１の光学レンズ側基準面１ｄの反対側の段差部１ｃの上面と、レンズ保持部材３の突部３ｅの上面とに跨って接着剤５を塗布することにより、光学レンズ１がレンズ保持部材３に接着される。
上述したレンズユニットでは、レンズ保持部材３の凹部３ａの底面に形成される保持部材側基準面３ｄに、光学レンズ１の取付部１ｂに形成される光学レンズ側基準面１ｄを当接し、この当接面を接着することなく、光学レンズ１の光学レンズ側基準面１ｄの反対側面に形成される窪み状の段差部１ｃの上面と、レンズ保持部材３の凹部３ａの壁面側に形成される段差状の突部３ｅとに跨って接着剤５を塗布したので、基準面の状態が接着剤によって変化することなく、また接着剤硬化後の温度変化等によって歪みが生じることがなくなるほか、接着面積のバラツキが小さくなり、レンズ保持部材３に光学レンズ１をより高い精度で接着することができる。
【００１９】
すなわち、例えば、光学レンズ１の光学レンズ側基準面１ｄの反対側面に段差部１ｃを設けることなくこれを、レンズ保持部材３の凹部３ａの壁面側に直接接着剤により接着する場合には、接着剤の不要な盛り上がりや、接着部分以外の流れ出し等による接着面積のバラツキにより精度の高い接着が困難になる。
しかしながら、この実施形態では、光学レンズ１の段差部１ｃの上面およびレンズ保持部材３の突部３ｅの上面の面積を所定の面積にすることができるため、接着剤５の量をその面積に対応する最適な量にしておくことにより、接着剤５の不要な盛り上がり、および、接着面積のバラツキが解消され、レンズ保持部材３に光学レンズ１をより高い精度で接着することができる。
【００２０】
（第２の実施形態）
図４は、本発明のレンズユニットの第２の実施形態を示しており、この実施形態では、本発明がカメラの焦点検出装置に適用される。
この実施形態では、位相差検出方式の焦点検出装置の光学系を構成するセパレータレンズ１１が、絞りマスク１３を介して、樹脂からなるレンズ保持部材１５に保持されている。
【００２１】
レンズ保持部材１５には、樹脂からなる傾き調整部材１７を介して、センサ保持部材１９が配置されている。
センサ保持部材１９は、矩形状のセンサパッケージ２１の上面を覆って配置されている。
センサ保持部材１９の両端には、断面Ｌ字状の突出部１９ａが形成され、この突出部１９ａが、センサパッケージ２１に嵌合され接着剤により接着されている。
【００２２】
センサパッケージ２１には、例えば、ＣＣＤからなる矩形状のセンサ２３が配置されている。
図５は、レンズ保持部材１５にセパレータレンズ１１を組み付けた状態を示しており、図６は、組み付け前の状態を示している。
図６に示すように、レンズ保持部材１５は、直方体状をしており、奥側の中央には、コンデンサレンズを通過した被写体からの光を導入する矩形状の開口部１５ａが形成されている。
【００２３】
また、レンズ保持部材１５には、セパレータレンズ１１を収容して嵌合させる矩形状の凹部１５ｂが形成されている。
この凹部１５ｂの底面１５ｃの隅部には、セパレータレンズ１１側に突出する突出部１５ｄが形成されている。
この突出部１５ｄの上面には、保持部材側基準面１５ｅが形成されている。
【００２４】
凹部１５ｂの底面１５ｃの開口部１５ａの近傍には、セパレータレンズ１１の位置決め用のボス部１５ｆ，１５ｈが形成されている。
そして、この実施形態では、レンズ保持部材１５の凹部１５ｂの外側には、仕切壁１５ｉを介して、凹状の円弧面１５ｊが形成されている。
この円弧面１５ｊには、図４に示したように、傾き調整部材１７の凸状の円弧面１７ａが嵌合される。
【００２５】
セパレータレンズ１１は、樹脂，ガラス等からなり、レンズ周囲の外形が略直方体状に形成されている。
セパレータレンズ１１の外形の四隅には、取付部１１ａが形成され、この取付部１１ａの底面に、光学レンズ側基準面１１ｂが形成されている。
この光学レンズ側基準面１１ｂは、レンズ保持部材１５の凹部１５ｂに形成される保持部材側基準面１５ｅに当接される。
【００２６】
そして、この実施形態では、セパレータレンズ１１の光学レンズ側基準面１１ｂの反対側面に、窪み状の段差部（段差面）１１ｃが形成されている。
この段差部１１ｃは、図５に示すように、レンズ保持部材１５の凹部１５ｂの壁面側に位置するように形成されている。
また、レンズ保持部材１５の基準面１５ｅに対して凹部１５ｂの壁面側には、段差状の突部１５ｍが形成されている。
【００２７】
そして、この実施形態では、図７に示すように、突部１５ｍの上面と保持部材側基準面１５ｅとの間隔Ａが、セパレータレンズ１１の段差部１１ｃと光学レンズ側基準面１１ｂとの間隔Ｂより寸法Δだけ大きくされている。
すなわち、セパレータレンズ１１の光学レンズ側基準面１１ｂの反対側面に形成される窪み状の段差部１１ｃの上面の位置が、レンズ保持部材１５の凹部１５ｂの壁面側に形成される段差状の突部１５ｍの上面の位置より寸法Δだけ低い位置に位置されている。
【００２８】
そして、セパレータレンズ１１の段差部１１ｃの上面と、レンズ保持部材１５の突部１５ｍの上面とに跨って熱硬化性の接着剤５Ａを塗布することによりセパレータレンズ１１がレンズ保持部材１５に接着されている。
この実施形態のレンズユニットでは、セパレータレンズ１１の光学レンズ側基準面１１ｂの反対側面に形成される窪み状の段差部１１ｃの上面の位置を、レンズ保持部材１５の凹部１５ｂの壁面側に形成される段差状の突部１５ｍの上面の位置より低い位置に位置させたので、硬化後の弾性が殆どない熱硬化性の接着剤５Ａにより、セパレータレンズ１１の浮き上がりを有効に阻止することができる。
【００２９】
（第３の実施形態）
図８は、本発明のレンズユニットの第３の実施形態を示している。
この実施形態では、第２の実施形態において、接着剤に、硬化後に弾性を有する紫外線硬化型接着剤または弾性接着剤からなる接着剤５Ｂが使用されている。
【００３０】
そして、この実施形態では、突部１５ｍの上面と保持部材側基準面１５ｅとの間隔Ｃが、セパレータレンズ１１の段差部１１ｃと光学レンズ側基準面１１ｂとの間隔Ｄより寸法Δだけ小さくされている。
すなわち、セパレータレンズ１１の光学レンズ側基準面１１ｂの反対側面に形成される窪み状の段差部１１ｃの上面の位置が、レンズ保持部材１５の凹部１５ｂの壁面側に形成される段差状の突部１５ｍの上面の位置より寸法Δだけ高い位置に位置されている。
【００３１】
そして、セパレータレンズ１１の段差部１１ｃの上面と、レンズ保持部材１５の突部１５ｍの上面とに跨って硬化後に弾性を有する紫外線硬化型接着剤または弾性接着剤からなる接着剤５Ｂを塗布することによりセパレータレンズ１１がレンズ保持部材１５に接着されている。
なお、この実施形態において第２の実施形態と同一の部材には、同一の符号を付して詳細な説明を省略する。
【００３２】
この実施形態のレンズユニットでは、セパレータレンズ１１の光学レンズ側基準面１１ｂの反対側面に形成される窪み状の段差部１１ｃの上面の位置を、レンズ保持部材１５の凹部１５ｂの壁面側に形成される段差状の突部１５ｍの上面の位置より高い位置に位置させたので、硬化後に弾性を有する紫外線硬化型接着剤または弾性接着剤からなる接着剤５Ｂの弾性（収縮作用）により、基準面１１ｂ，１５ｅどうしを互いに密着させる方向の力が作用しセパレータレンズ１１の浮き上がりを有効に阻止することができる。
【００３３】
なお、第２，第３実施形態で述べたような段差部１１ｃの上面と突部１５ｍの上面との位置関係は、図１に示す段差部１ｃの上面と突部３ｅの上面との位置関係に適用してもよい。
【００３４】
【発明の効果】
以上述べたように、請求項１のレンズユニットでは、レンズ保持部材の凹部の底面側に形成される保持部材側基準面に、光学レンズの取付部に形成される光学レンズ側基準面を当接し、この当接面を接着することなく、光学レンズの基準面の反対側面に形成される窪み状の段差部上面と、レンズ保持部材の凹部の壁面側に形成される段差状の突部上面とに跨って接着剤を塗布したので、基準面の状態が接着剤によって変化することなく、また接着剤硬化後の温度変化等によって歪みが生じることがなくなるほか、接着面積のバラツキが小さくなり、レンズ保持部材に光学レンズをより高い精度で接着することができる。
【００３５】
請求項２のレンズユニットでは、光学レンズの基準面の反対側面に形成される窪み状の段差部上面の位置を、レンズ保持部材の凹部の壁面側に形成される段差状の突部上面の位置より低い位置に位置させたので、硬化後の弾性が殆どない熱硬化性接着剤により、光学レンズの浮き上がりを有効に阻止することができる。請求項３のレンズユニットでは、光学レンズの基準面の反対側面に形成される窪み状の段差部上面の位置を、レンズ保持部材の凹部の壁面側に形成される段差状の突部上面の位置より高い位置に位置させたので、硬化後に弾性を有する紫外線硬化型接着剤または弾性接着剤の弾性により、光学レンズの浮き上がりを有効に阻止することができる。
【図面の簡単な説明】
【図１】本発明のレンズユニットの第１の実施形態を示す断面図である。
【図２】図１のレンズユニットを示す分解斜視図である。
【図３】図１のレンズユニットを示す上面図である。
【図４】本発明のレンズユニットの第２の実施形態が適用される焦点検出装置を示す断面図である。
【図５】図４のレンズ保持部材とセパレータレンズとを組み立てた状態を示す斜視図である。
【図６】図４のレンズ保持部材とセパレータレンズとを分解した状態を示す分解斜視図である。
【図７】図５のＶ−Ｖ線に沿う断面図である。
【図８】本発明のレンズユニットの第３の実施形態を示す断面図である。
【符号の説明】
１  光学レンズ
１ａ  レンズ部
１ｂ，１１ａ  取付部
１ｃ，１１ｃ  段差部
１ｄ，１１ｂ  光学レンズ側基準面
３，１５  レンズ保持部材
３ａ，１５ｂ  凹部
３ｄ，１５ｅ  保持部材側基準面
３ｅ，１５ｍ  突部
５，５Ａ，５Ｂ  接着剤
１１  セパレータレンズ
【図１】
2004226804.tif 000003
【図２】
2004226804.tif 000004
【図３】
2004226804.tif 000005
【図４】
2004226804.tif 000006
【図５】
2004226804.tif 000007
【図６】
2004226804.tif 000008
【図７】
2004226804.tif 000009
【図８】
2004226804.tif 000010